(57)【要約】【課題】  手が不自由な高齢者や身体障害者であっても、手軽に着用することが出来るファスナー付きワイシャツの提供。【解決手段】  前立て１に飾りボタン５を取付けると共に飾りボタンホール６を形成し、ファスナーを開閉操作するスライダー１５には指２０が係止するリング１９を連結している。【選択図】    図２
2018184684.tif 000002
【特許請求の範囲】
【請求項１】
ワイシャツの上前身ごろと下前身ごろにファスナーを取付け、該ファスナーを開閉することでワイシャツを着脱することが出来るファスナー付きワイシャツにおいて、前立てには飾りボタンを取付けると共に飾りボタンホールを形成し、ファスナーを開閉操作するスライダーには指が係止するリングを連結し、上記スライダーが適当な位置で停止することが出来るようにストッパーを着脱可能に取付けたことを特徴とするファスナー付きワイシャツ。
【請求項２】
ワイシャツを構成する襟、襟台、前立て、上前身ごろ、下前身ごろ、剣ボロ、及びカフスは織物生地（布帛）を用い、後ろ身ごろ及び袖にはニット生地を用いて縫製した請求項１記載のファスナー付きワイシャツ。
【請求項３】
上記ストッパーとして、上前身ごろに設けた通孔と下前身ごろに設けた通孔に留め具を取付けた請求項１、又は請求項２記載のファスナー付きワイシャツ。
【発明の詳細な説明】
【技術分野】
【０００１】
本発明は、手先に不自由を感じる人や身体障害者、又は高齢者でも手軽に着脱することができるファスナー付きワイシャツに関するものである。
【背景技術】
【０００２】
従来の一般的なワイシャツは正面に複数のボタンが備わっていて、ワイシャツを着用する場合には、上記ボタンを外し、着用した状態でボタンを再び掛けなくてはならない。
そこで、ワイシャツの正面である下前身ごろには複数のボタンが取り付けられ、前立てには複数のスリット状のボタン穴が貫通して設けられている。上記ボタンがスリット状ボタン穴に嵌まることで、下前身ごろと上前身ごろを閉じることが出来る。
【０００３】
ところで、上記ボタン穴はスリット状に成っている為に、小さいボタンは嵌めにくく、特に年をとって手が不自由な高齢者や身体障害者にとっては、ワイシャツのボタンを掛けることは容易ではない。その為にボタンの１つや２つを掛け忘れるといったことや、掛け違いが発生する。
一方、従来の一般的なワイシャツは布帛（織物）を縫製しているため伸縮性が無く、高齢者や身体障害者にとっては着用した際に窮屈感があり、また袖を通すことは容易ではない。
【０００４】
そこで、上記ボタンの代わりにファスナーを下前身ごろの表面と前立ての裏面に取り付けているワイシャツが知られている。
該ファスナーを取付けることで、ボタン掛けに比べてワイシャツの着用は楽であるが、スライダーの小さいツマミを指で摘むことに不便を感じる場合もあり、また、該スライダーをオープンファスナーに係合することは手が不自由であれば容易でない。
【０００５】
実用新案登録第３１９６７００号に係る「ファスナー付きワイシャツ」は、煩わしいボタンを掛けることなく簡単に着用することが出来るようにしている。
そこで、正面の下側前立て及び上側前立てにファスナーを取付け、そして、上側前立ての表面には複数の飾り用のボタンを等間隔で取付けている。
【０００６】
特開２００８−１９５４５号に係る「かぶり着するワイシャツ」は、片手で操作ができる上に着脱が容易なように成っている。
ワイシャツ前面の表側にボタンとボタン穴かがり部とが既にボタン掛けされた姿で設けられ、このワイシャツ前面の裏側の下部分とシャツ後面の表側下部分とが縫合され、この縫合部の上から衿元までファスナーが設けられている。
【特許文献１】実用新案登録第３１９６７００号に係る「ファスナー付きワイシャツ」
【特許文献２】特開２００８−１９５４５号に係る「かぶり着するワイシャツ」
【発明の開示】
【発明が解決しようとする課題】
【０００７】
このように、ファスナーを備えたワイシャツは知られていて、ボタン式のワイシャツに比べて着脱は比較的容易である。しかし、手が不自由になると、ファスナーのツマミを摘むことが出来難くなるなど、ファスナー付きワイシャツにも問題がある。
本発明が解決しようとする課題はこれら問題点であり、着脱並びにファスナーの開閉操作が容易なファスナー付きワイシャツを提供する。
【課題を解決するための手段】
【０００８】
本発明のワイシャツは従来のボタン式ではなく、ファスナーを縫い付けていて下前身ごろと前立ては上記ファスナーによって連結され、ワイシャツを着脱する際にはファスナーを外して上前身ごろと下前身ごろを開くことが出来る。
そして、上記前立てには飾りボタンが取付けられ、また飾りボタンにはボタンホールが形成されていて、着用した状態の外観は従来のボタン式ワイシャツと同じ形態としている。すなわち、ファスナーが外観上見えないように成っている。
【０００９】
ところで、本発明では手の不自由な高齢者や身体障害者を対象としたワイシャツであり、上記ファスナーの開閉は、スライダーの操作がし易いように、スライダーのツマミにリングを取り付けている。リングは完全な円形に限るものではなく、指を係止することが出来る大きさ、形状であればよい。
そして、該ワイシャツは下前身ごろと上前身ごろを完全に開いた状態で着脱する場合と下前身ごろと上前身ごろを完全に開くことなく下側部を残してかぶって着用することが出来るようにすることも出来る。
【００１０】
その為に、ファスナーの途中にはストッパーが設けられ、スライダーは該ストッパーの位置で停止することが出来るようにしている。
また、袖口にもボタンではなくファスナーを縫い付けていて、袖に腕を入れる時には袖口のファスナーは外される。
一方、ワイシャツ全体が織物生地でなく、後ろ身ごろや袖にはニット生地を取り入れて縫製する場合もある。
【発明の効果】
【００１１】
本発明のワイシャツはファスナーを設けて上記ファスナーを介して上前身ごろと下前身ごろを開閉することが出来き、従来のボタン式に比べてワイシャツの着脱が容易である。  すなわち、手が不自由な高齢者や障害者であってもファスナーを開け閉めすることで手軽にワイシャツの着用が出来る。
しかも、該ファスナーを開閉するスライダーのツマミにはリングを取り付けていることで、このリングに指を係止することが可能であり、小さいツマミを操作することなく、リングを介してスライダーの操作ができる。
【００１２】
そして、ワイシャツには飾りボタンと飾りボタンホールが取り付けられている為に、ワイシャツの外観が損なわれることはなく、従来のボタン式ワイシャツと同じように見える。
また、スライダーが下前身ごろ及び上前身ごろの下端までスライドすることなく、途中に停止するようにストッパーを取付けるならば、ワイシャツをかぶって着用することが出来る為に便利である。勿論、該ストッパーは着脱可能な構造としていることで、必要に応じてかぶり方式のワイシャツに変えることが出来る。
【００１３】
さらに、ファスナーのスライダーにリングを取付けることで、自分で上げ下げできなくても、他のものに引っ掛けてファスナーの開閉操作が出来る。
一方、ワイシャツの一部にニット生地を取り入れることで着脱し易く、多少の体型の変化にも対応可能となる。
【図面の簡単な説明】
【００１４】
【図１】本発明のファスナー付きワイシャツの正面図。
【図２】ワイシャツの前面を開いた状態。
【図３】通孔に留め具を取付けてかぶり方式としたワイシャツ。
【図４】通孔に留め具を取付け、スライダーが停止している状態。
【図５】袖口にファスナーを取付けて開いた状態。
【図６】襟元のリングを操作している状態。
【発明を実施するための形態】
【００１５】
図１は本発明のワイシャツを示す外観図であり、（１）は前立て、（２）は下前身ごろ、（１０）は上前身ごろ、（３）は袖、（４）は襟を示している。このように外観的には従来のワイシャツと同じであり、前立て（１）には飾りボタン（５）、（５）・・・を取り付け、また飾りボタンホール（６）、（６）・・・を形成している。
ここで、襟（４）、前襟台（７）、前立て（１）、上前身ごろ（１０）、下前身ごろ（２）、ヨーク（２１）、剣ボロ（８）、カフス（９）は織物生地（布帛）からなり、後ろ身ごろ（１１）、袖（３）はニット生地が使用されて縫製している。勿論、ニット生地を用いることなく、織物生地で全てを構成する場合もある。
【００１６】
上記飾りボタン（５）、（５）・・・と飾りボタンホール（６）、（６）・・・はあくまでも装飾であり、前立て（１）と下前身ごろ（２）を閉じる為のものではなく、本発明ではファスナーを介して前立て（１）と下前身ごろ（２）が閉じられる。
すなわち、下前身ごろ（２）の表面側縁と前立て（１）の裏面側にはそれぞれファスナーを縫い付けて、ファスナーにはスライダーがスライド出来るように取り付けられている。
また、上前身ごろ（１０）には通孔（２２）が、下前身ごろ（２）にも通孔（２３）が設けられて、これら通し孔（２２）、（２３）を介して留め具（２４）を取付けることが出来、該留め具（２４）にスライダーが当たって停止することが出来るように構成している。
【００１７】
同じく袖口の剣ボロ（８）とカフス（９）にも、飾りボタン（５）、（５）を取り付け、飾りボタンホール（６）、（６）を形成していて、従来のワイシャツの袖口と外観においては同じようになっている。
しかも、この袖口にもファスナーを縫い付けていて、該ファスナーを開くことで袖（３）に腕を通すことが出来、腕を通したところでファスナーが閉じられる。
【００１８】
図２は、下前身ごろ（２）と上前身ごろ（１０）を開いた状態を表し、該ワイシャツの下前身ごろ（２）の接着芯の中心にはオープンファスナー（１３）が縫い付けられ、また、上前身ごろ（１０）にもオープンファスナー（１４）を縫い付けている。
そして、上記オープンファスナー（１４）には、スライダー（１５）がスライド出来るように噛み合っており、このスライダー（１５）には、リング（１６）が連結している。
【００１９】
ところで、上記両オープンファスナー（１３）、（１４）はスライダー（１５）を介して互いに噛み合うことが出来、スライダー（１５）が両オープンファスナー（１３）、（１４）に沿ってスライドするならば下前身ごろ（２）と上前身ごろ（１０）は閉じることが出来る。
ここで、上前身ごろ（１０）の前立て（１）及び下前身ごろ（２）に接着芯を設けていることでこの部分の強さが増して、オープンファスナー（１４）に取り付けられているスライダー（１５）は、オープンファスナー（１３）と噛み合わせや易くなる。
しかも、スライダー（１５）には、リング（１６）を連結していることで、該リング（１６）に指を係止しスライダー（１５）の操作がし易くなる。
【００２０】
図３、図４に示しているように、上前身ごろ（１０）に設けた通孔（２２）と下前身ごろ（２）に設けた通孔（２３）に留め具（２４）が取付けられてストッパーとして機能し、ファスナーに沿って移動するスライダー１５は該留め具２４に当たって停止することが出来る。
したがって、対を成す通孔（２２）及び通孔（２３）を複数個所に設けることで、上前身ごろ（１０）と下前身ごろ（２）の開き具合を適度に調整することが可能となる。勿論、該留め具（２４）は取外し出来ように成っている。
【００２１】
図３はスライダー（１５）が留め具（２４）に当たって停止している場合で、上前身ごろ（１０）の通孔（２２）と下前身ごろ（２）の通孔（２３）に留め具（２４）を取付けることで、スライダー（１５）は互いに噛み合った両オープンファスナー（１３）、（１４）の開閉の位置を自ら決め、かぶりのワイシャツとすることが出来る。
【００２２】
ところで、スライダー（１５）が停止するストッパー部材としては上記留め具（２４）に限定するものはない。例えば、上記通孔（２２）及び通孔（２３）が設けられる部分に所定の長さの粘着テープ（マジックテープ）を縫付けし、これら両粘着テープに留め具（２４）を固定することも出来る。また、上記通孔（２２）、（２３）の位置にボタンを取付け、両ボタンに紐を掛け渡すことも可能である。
【００２３】
図５は袖口を示す詳細図である。同図は剣ボロ（８）とカフス（９）を開いた状態を表し、該ワイシャツの下剣ボロ（８−ｂ）から下カフス（９−ｂ）の１／２までの縁にはファスナー（１７）が縫い付けられ、また、上剣ボロ（８−ａ）から上カフス（９−ａ）の１／２までの裏にもファスナーを縫い付けている。
そして、上記ファスナー（１７）には、スライダー（１８）がスライド出来るように噛み合っており、このスライダー（１８）には、リング（１９）が連結している。
【００２４】
ところで、上記ファスナー（１７），（１７）はスライダー（１８）を介して互いに噛み合うことが出来、スライダー（１８）が両ファスナー（１７）、（１７）に沿ってスライドするならば下剣ボロ（８−ｂ）から下カフス（９−ｂ）と上剣ボロ（８−ａ）から上カフス（９−ａ）は閉じることが出来る。
このスライダー（１８）にも、リング（１９）を連結していることで、該リング（１９）に指を係止しスライダー（１８）の操作がし易くなっている。
【００２５】
ところで、ワイシャツの袖（３）の部分にはニット生地を採用しており、その為に該袖（３）は伸びることが出来る為に着用時に腕は挿入し易くなる。
しかし、袖先端に設けている剣ボロ（８）及びカフス（９）はニット生地ではなく織物生地（布帛）を用いて縫製されている
【００２６】
図６は襟元に位置するスライダー（５）のリング（１６）に指（２０）を係止している状態を示している。
このように小さいスライダー（１５）にリング（１６）を連結していることで、ファスナーの開閉操作はし易くなり、手の不自由な高齢者や障害者であっても自分でワイシャツの着脱をすることが可能となる。
【符号の説明】
【００２７】
１ 前立て
２ 下前身ごろ
３ 袖
４ 襟
５ 飾りボタン
６ 飾りボタンホール
７ 前襟台
８ 剣ボロ
８−ａ  上剣ボロ
８−ｂ  下剣ボロ
９ カフス
９−ａ  上カフス
９−ｂ  下カフス
10 上前身ごろ
11 後身ごろ
13 オープンファスナー（雄）
14 オープンファスナー（雌）
15 スライダー
16 リング
17 ファスナー
18 スライダー
19 リング
20 指
21 ヨーク
22 通孔
23 通孔
24 留め具
25 ファスナーテープ
【図１】
2018184684.tif 000003
【図２】
2018184684.tif 000004
【図３】
2018184684.tif 000005
【図４】
2018184684.tif 000006
【図５】
2018184684.tif 000007
【図６】
2018184684.tif 000008